(57)【要約】      （修正有）【課題】収容空間の仕切りを変更でき、異なる高さの物品の収容に対応でき、隔板の強化リブにより棚の物品積載による変形を防止した吊掛式布製棚の提供。【解決手段】布製の棚本体１と複数の固定條４、隔板５を具え、これら固定條に係止柱４１が設けられ、これら隔板は両側に固定條の係止柱に対応するＬ状切欠き５１を具え、ならびに隔板の前端と後端が上向きに折り合わされて強化リブ５２が形成され、これら固定條が適宜上下間隔を以て棚内側に固定され、ならびに隔板が切欠きで固定條の係止柱に係止され、上下の仕切り空間が形成され、各隔板を抜き差し可能で収容空間を増減或いは改変でき、異なる物品の収容に対応でき、且つ隔板の強化リブにより棚の物品積載による変形の発生が防止された。【選択図】図３
0003102438.tif 000002
【実用新案登録請求の範囲】
【請求項１】
軟質布材で形成された棚本体と、
該棚本体の内側両側に固定され、前方と後方に係止柱が設けられ、一側に上向きに片体が延伸された固定條と、
両側に固定條の係止柱に対応するＬ状の切欠きが設けられ、前端と後端に上向きに折り合わされて形成された強化リブが設けられた隔板と、
とが組み合わされ、該隔板がＬ状の切欠きで固定條の係止柱に係止されて棚本体内に複数の仕切り空間を形成し、強化リブにより物品重量を積載する時の棚の変形が防止されたことを特徴とする、吊掛式布製棚。
【請求項２】
請求項１記載の吊掛式布製棚において、隔板の前端と後端の両側に切欠きが形成されることにより形成された延伸部が、上向きに折られた後に重ね合わされて縫合されることにより強化リブが形成されたことを特徴とする、吊掛式布製棚。
【請求項３】
請求項１記載の吊掛式布製棚において、棚本体内側に設けられた固定條は、その片体が棚本体に縫い付けられて固定されたことを特徴とする、吊掛式布製棚。
【考案の詳細な説明】
【技術分野】
【０００１】
本考案は吊掛式布製棚に係り、特に、組立が容易で物品積載による変形を防止した布製棚の構造に関する。
【背景技術】
【０００２】
折り畳んで収納でき、且つ展開後に吊掛に供される布製棚は図１に示されるようであり、それは、布製棚本体１を具え、該棚本体１の上端に吊掛用のホルダリング１１が設けられ、該棚本体１の内側に適当な間隔で複数の布片１２が縫い付けられて複数の仕切り空間を形成し、異なる物品２の放置に供する。このような周知の吊掛式布製棚の仕切り用の布片１２は軟質であり、このため重量の重い物品２を収容すると、布１２が下に沈み、棚本体１が変形し、且つその仕切り用の布片１２は固定式であるため、比較的高い物品を放置したい時に収容できないことがある。このように周知の吊掛式布製棚は使用上の欠点があり、理想的でない。
【考案の開示】
【考案が解決しようとする課題】
【０００３】
本考案の主要な目的は、一種の吊掛式布製棚を提供することにあり、それは、物品の重量を受けても変形を発生しないものとする。
【課題を解決するための手段】
【０００４】
請求項１の考案は、
軟質布材で形成された棚本体と、
該棚本体の内側両側に固定され、前方と後方に係止柱が設けられ、一側に上向きに片体が延伸された固定條と、
両側に固定條の係止柱に対応するＬ状の切欠きが設けられ、前端と後端に上向きに折り合わされて形成された強化リブが設けられた隔板と、
とが組み合わされ、該隔板がＬ状の切欠きで固定條の係止柱に係止されて棚本体内に複数の仕切り空間を形成し、強化リブにより物品重量を積載する時の棚の変形が防止されたことを特徴とする、吊掛式布製棚としている。
請求項２の考案は、請求項１記載の吊掛式布製棚において、隔板の前端と後端の両側に切欠きが形成されることにより形成された延伸部が、上向きに折られた後に重ね合わされて縫合されることにより強化リブが形成されたことを特徴とする、吊掛式布製棚としている。
請求項３の考案は、請求項１記載の吊掛式布製棚において、棚本体内側に設けられた固定條は、その片体が棚本体に縫い付けられて固定されたことを特徴とする、吊掛式布製棚としている。
【考案の効果】
【０００５】
本考案は複数の固定條に、固定條に係止される隔板を組み合わせることにより、棚の組立を容易とし且つ物品積載時の棚の変形を防止し、ゆえに実用的な設計であり、新規性を有している。
【考案を実施するための最良の形態】
【０００６】
本考案の吊掛式布製棚は、布製の棚本体と複数の固定條、隔板を具え、これら固定條に前後の係止柱が設けられ、これら隔板は両側に固定條の係止柱に対応するＬ状切欠きを具え、ならびに隔板の前端と後端が上向きに折り合わされて強化リブが形成され、これら固定條が適宜上下間隔を以て棚内側に固定され、ならびに隔板が切欠きで固定條の係止柱に係止されることで、上下の仕切り空間が形成され、各隔板が抜き差し可能とされて収容空間を増減或いは改変でき、異なる物品の収容に対応でき、且つ隔板の強化リブにより棚の物品積載による変形の発生が防止されている。
【０００７】
前述の吊掛式布製棚において、固定條は縫合方式で棚本体の内側に固定され、これら隔板の強化リブは前端と後端の両側に切欠きを形成することにより形成される延伸部を上向きに折り合わせてから縫合することにより形成される。
【実施例１】
【０００８】
図２、３に示されるように、本考案は棚本体３と複数の固定條４、隔板５からなる。そのうち、棚本体３の上端には吊掛用のホルダリング３１が設けられ、これら固定條４は前方と後方に係止柱４１を具え、ならびに上向きに片体４２が延伸され、これら隔板５はその両側に固定條４の係止柱４１に対応するＬ状の切欠き５１を具え、ならびにその前端と後端の両側に切欠き５１形成により形成される延伸部が上向きに折られてさらに重ね合わされて強化リブ５２が形成される（本考案では縫合方式で固定される）。
【０００９】
上記固定條４は適当な上下間隔を以て棚本体３の内側両側に配列され、固定條４の片体４２が棚本体３に縫い付けられ、各隔板５が両側の切欠き５１で固定條４の係止柱４１に係合されて複数の仕切り空間を形成する。棚本体３が吊掛られた後、各隔板５に異なる物品を放置でき、且つ隔板５の強化リブ５２により物品重量を受ける時の棚の変形が防止される。
【００１０】
図４、５に示されるように、本考案は各固定條４に前後の係止柱４１が設けられ（状況に応じて係止柱４１の数量を増すこともできる）、二つの固定條４が片体４２を以て棚本体３内側に縫い付けられて対称状態を呈し、隔板５が挿入される時、隔板５の両側のＬ状の切欠き５１が係止柱４１に係合させられ、さらに隔板５が前に引かれ、これにより隔板５が係止され位置決めされる。このように隔板５の組み付けが簡単迅速で便利であり、係止後の不当な脱落を防止できる。
【００１１】
図６に示されるように、本考案を使用する時、棚本体３は上端のホルダリング３１により吊掛られ、各隔板５の上に物品２が放置される。各隔板５は両側の固定條４により位置決めされ、且つその前後端に強化リブ５２が設けられ、これにより、物品２を積載する時の棚の変形が防止され、物品の脱出を防止し、これにより実用効果が高められている。
【００１２】
図７に示されるように、本考案は任意の隔板５（或いは二つの隔板）を抜き取って空間を大きくして比較的高さのある物品の放置に供することができ、これにより棚の使用範囲が広がり、その実用価値が高められている。
【図面の簡単な説明】
【００１３】
【図１】周知の吊掛式布製棚の斜視図である。
【図２】本考案の斜視図である。
【図３】本考案の分解斜視図である。
【図４】本考案の隔板と固定條の組合せ図である。
【図５】本考案の隔板と固定條の組合せ図である。
【図６】本考案の使用実施例図である。
【図７】本考案のもう一つの使用実施例図である。
【符号の説明】
【００１４】
１  棚本体              ４  固定條
１１  ホルダリング      ４１  係止柱
１２  布片              ４２  片体
２  物品                ５  隔板
３  棚本体              ５１  切欠き
３１  ホルダリング      ５２  強化リブ
【図１】
0003102438.tif 000003
【図２】
0003102438.tif 000004
【図３】
0003102438.tif 000005
【図４】
0003102438.tif 000006
【図５】
0003102438.tif 000007
【図６】
0003102438.tif 000008
【図７】
0003102438.tif 000009